(57)【要約】【課題】スクリーン面に対して液晶プロジェクタ装置の投射光軸が傾いている場合に、画像の歪みをキーストーン歪補正回路により補正するとともに、輝度の増減の偏りも同時に補正する。【解決手段】キーストーン歪補正回路により補正したビデオ信号に基づき液晶パネルを駆動するとともに、光源からの光をその液晶パネルに照射し、液晶パネル上の画像を投光レンズを介してスクリーン面上に投射する液晶プロジェクタ装置において、輝度補正回路を備え、前記キーストーン歪補正回路の補正量に応じて画像の端部にいくに従い輝度を増大または減少させる。【選択図】  図１
2004289503.tif 000002
【特許請求の範囲】
【請求項１】
キーストーン歪補正回路により補正したビデオ信号に基づき液晶パネルを駆動するとともに、光源からの光をその液晶パネルに照射し、液晶パネル上の画像を投光レンズを介してスクリーン面上に投射する液晶プロジェクタ装置において、
前記キーストーン歪補正回路の補正量に応じて画像の端部にいくに従い輝度を増大または減少させる輝度補正回路を備えたことを特徴とする液晶プロジェクタ装置。
【請求項２】
前記輝度補正回路は投射光の光軸がスクリーン面に対して上下方向に傾いている場合に、垂直周期ごとにビデオ信号のレベルを補正することを特徴とする請求項１に記載の液晶プロジェクタ装置。
【請求項３】
前記輝度補正回路は投射光の光軸がスクリーン面に対して左右方向に傾いている場合に、水平周期ごとにビデオ信号のレベルを補正することを特徴とする請求項１に記載の液晶プロジェクタ装置。
【請求項４】
前記輝度補正回路は投射光の光軸がスクリーン面に対して斜め方向に傾いている場合に、垂直周期および水平周期ごとにビデオ信号のレベルを補正することを特徴とする請求項１に記載の液晶プロジェクタ装置。
【請求項５】
前記輝度補正回路は垂直周期または／および水平周期のノコギリ波発生回路を備え、前記キーストーン歪補正回路の補正量に応じた傾きのノコギリ波信号を発生し、そのノコギリ波信号をビデオ信号に重畳してビデオ信号のレベルを補正することを特徴とする請求項１に記載の液晶プロジェクタ装置。
【発明の詳細な説明】
【０００１】
【発明の属する技術分野】
本発明は、キーストーン歪補正回路を備えた液晶プロジェクタ装置に関し、スクリーン面に対して投射光軸が傾いている場合に画面の歪みを補正するとともに、同時に発生する輝度の偏りについても補正することを可能にした液晶プロジェクタ装置に関する。
【０００２】
【従来の技術】
従来の液晶プロジェクタ装置では、スクリーン面に対して投射光軸が傾いていると、スクリーン面の光軸位置の光軸に垂直な面から遠く離れるに従い画像が大きくなるように歪むとともに、輝度が落ち暗くなる。また、光軸に垂直な面から近くになるにつれて画像が小さくなるように歪むとともに、輝度が上がり明るくなる。これらの対策として、画像の歪みに対しては、キーストーン歪補正回路を設けて画像の歪みを補正していた（例えば、特許文献１参照。）。
【０００３】
図５（ａ）は液晶プロジェクタ装置の光軸をスクリーン面に対して上下方向に振った場合の光軸を示し、図５（ｂ）は液晶プロジェクタ装置の光軸を左右方向に振った場合の光軸を示す。図６は図５の各場合の画像を示し、補正前の歪んだ画像（斜線部）を左側に示し、それをキーストーン歪補正回路により補正した場合の画像（斜線部）を右側に示す。左側の歪んだ画像は、画像が歪んでいるとともに、小さく歪んだ部分は輝度が増し明るくなり、大きく歪んだ部分は輝度が減少し暗くなる。画像の大きさの歪みはキーストーン歪補正回路により右側に示す画像のように正常な大きさに補正されるが、輝度の偏りは補正されない。
【０００４】
【特許文献１】
特開平９−２７５５３８号公報  （第２−９頁、図７、図８）
【０００５】
【発明が解決しようとする課題】
このように、光軸が傾いたことで画像が平面内で歪む障害に対してはキーストーン歪補正回路により補正が可能であるが、光軸が傾いたことで発生するスクリーン面の位置により輝度が増減する障害に対しては、従来の液晶プロジェクタ装置では、補正することが不可能であり、画像の輝度に違和感が残った。
そこで本発明は、スクリーン面に対して投射光軸が傾いている場合に、画像の歪みをキーストーン歪補正回路により補正するとともに、輝度の増減の偏りについても補正することを可能にした液晶プロジェクタ装置を提案することを課題とした。
【０００６】
【課題を解決するための手段】
上記課題を解決するために、本発明に係る液晶プロジェクタ装置は、キーストーン歪補正回路により補正したビデオ信号に基づき液晶パネルを駆動するとともに、光源からの光をその液晶パネルに照射し、液晶パネル上の画像を投光レンズを介してスクリーン面上に投射するものにおいて、前記キーストーン歪補正回路の補正量に応じて画像の端部にいくに従い輝度を増大または減少させる輝度補正回路を備える。
【０００７】
ここで、投射光の光軸がスクリーン面に対して上下方向に傾いている場合は、前記輝度補正回路が垂直周期ごとにビデオ信号のレベルを補正する。
また、投射光の光軸がスクリーン面に対して左右方向に傾いている場合は、前記輝度補正回路が水平周期ごとにビデオ信号のレベルを補正する。
さらに、投射光の光軸がスクリーン面に対して斜め方向に傾いている場合は、前記輝度補正回路が垂直周期および水平周期ごとにビデオ信号のレベルを補正する。
なお、前記輝度補正回路は垂直周期または／および水平周期のノコギリ波発生回路を備え、前記キーストーン歪補正回路の補正量に応じた傾きのノコギリ波信号を発生し、そのノコギリ波信号をビデオ信号に重畳してビデオ信号のレベルを補正することも可能である。
【０００８】
【発明の実施の形態】
以下、図に基づいて本発明の実施形態を説明する。図１は本発明に係る液晶プロジェクタ装置のキーストーン歪補正および輝度補正をする部分の構成を示すブロック図である。図において、キーストーン歪補正回路１は、マイコン６およびシリアル制御部８を介して入力されたキーストーン歪補正指令に基づき、入力されたビデオ信号を、キーストーン歪補正して色むら補正回路２へ送る。色むら補正回路２は入力されたビデオ信号の色むらを補正してミキサー３へ送る。一方、マイコン６からシリアル制御部８を経たキーストーン歪補正指令は、輝度補正回路７へも送られる。
【０００９】
輝度補正回路７は入力された指令に基づき、水平周期、垂直周期毎に補正信号を作成してミキサー３へ送る。ミキサー３は、入力されたビデオ信号と補正信号を重畳し、Ｓ／Ｈ駆動回路４へ送る。Ｓ／Ｈ駆動回路４は補正されたビデオ信号を所定間隔でサンプリングして液晶パネル５を駆動する。その結果、液晶パネル５に表示される画像は、キーストーン歪補正されるとともに、キーストーン歪補正に応じた輝度補正がなされる。なお、図１中の破線で囲んだミキサー３および輝度補正回路７を除く構成は、従来の液晶プロジェクタ装置におけるキーストーン歪補正処理を実行する部分の回路である。
【００１０】
図２は、図１中の破線で囲んだミキサー３および輝度補正回路７を具体的に示したブロック図である。図において、マイコン６からのキーストーン歪補正指令であるシリアル制御データはＤＡＣ７１に入力された後ＤＣに変換されて、ノコギリ波発生回路（水平）７２およびノコギリ波発生回路（垂直）７３に入力される。ノコギリ波発生回路（水平）７２は、光軸が左右方向に振られてキーストーン歪補正が実行されたときに作動し、水平同期信号（Ｈ−ＳＹＮＣ）のタイミングで制御データに指定された傾きのノコギリ波信号を生成してＭＩＸ回路３１へ送る。
【００１１】
ノコギリ波発生回路（垂直）７３は、光軸が上下方向に振られてキーストーン歪補正が実行されたときに作動し、垂直同期信号（Ｖ−ＳＹＮＣ）のタイミングで制御データに指定された傾きのノコギリ波信号を生成してＭＩＸ回路３１へ送る。ＭＩＸ回路３１は、入力されたノコギリ波信号をビデオ信号に重畳してＳ／Ｈドライバへ送る。
【００１２】
図３は液晶プロジェクタ装置の光軸が左右方向に振られた場合のビデオ信号の輝度補正を示す波形図である。図面の最初にあらわされたビデオ信号は１水平周期（１Ｈ）ごとに補正される。すなわち、光軸が左に振られている場合は、次に示す波形のように水平周期ごとに右下がりのノコギリ波が重畳され、右下がりのビデオ信号となる。次に光軸が右に振られている場合は、次に示す波形のように水平周期ごとに右上がりのノコギリ波が重畳され、右上がりのビデオ信号となる。
【００１３】
図４は液晶プロジェクタ装置の光軸が上下方向に振られた場合のビデオ信号の補正を示す波形図である。図面の最初にあらわされたビデオ信号は１垂直周期（１Ｖ）ごとに補正される。すなわち、光軸が上に振られている場合は、次に示す波形のように垂直周期ごとに右下がりのノコギリ波が重畳され、右下がりのビデオ信号となる。次に光軸が下に振られている場合は、次に示す波形のように垂直周期ごとに右上がりのノコギリ波が重畳され、右上がりのビデオ信号となる。
【００１４】
なお、液晶プロジェクタ装置の光軸が斜め方向に振られた場合は、キーストーン歪補正の場合と同様に、水平周期ごとの補正と垂直周期ごとの補正を合わせて行うことで対応できる。
このように、本発明の実施形態では、従来のキーストーン歪補正回路を備えた液晶プロジェクタ装置に、キーストーン歪補正回路への補正指令に基づいて作動する輝度補正回路を追加することで、キーストーン歪の発生と同時に発生する輝度の偏りを、キーストーン歪の補正と同時に補正することが可能となる。
【００１５】
【発明の効果】
以上述べたように本発明によれば、スクリーン面に対して投射光軸が傾いている場合に、キーストーン歪に対する補正指令の入力をするだけで、画像の歪みがキーストーン歪補正回路により補正されるとともに、輝度の増減の偏りも同時に補正されるため、輝度に違和感のない良質が画像が得られる。
【図面の簡単な説明】
【図１】本発明に係る液晶プロジェクタ装置の構成を示すブロック図である。
【図２】図１の要部を具体的に示したブロック図である。
【図３】光軸が左右に振られた場合のビデオ信号の補正を示す波形図である。
【図４】光軸が上下に振られた場合のビデオ信号の補正を示す波形図である。
【図５】液晶プロジェクタ装置をスクリーン面に対して傾けた場合の光軸を示す。
【図６】図５の各場合の画像および補正画像を示す。
【符号の説明】
１  キーストーン歪補正回路
２  色むら補正回路
３  ミキサー
４  Ｓ／Ｈ駆動回路
５  液晶パネル
６  マイコン
７  輝度補正回路
８  シリアル制御部
３１  ＭＩＸ回路
７１  ＤＡＣ
７２  ノコギリ波発生回路（水平）
７３  ノコギリ波発生回路（垂直）
【図１】
2004289503.tif 000003
【図２】
2004289503.tif 000004
【図３】
2004289503.tif 000005
【図４】
2004289503.tif 000006
【図５】
2004289503.tif 000007
【図６】
2004289503.tif 000008